(57)【要約】【課題】端末本体の状態によらずに携帯端末の設定に関係する情報を取得することができる技術を提供する。【解決手段】制御部は、無線通信インターフェースを介して端末ＩＣタグとの間に第１の通信リンクを確立し、確立された前記第１の通信リンクを利用して端末設定関係情報を含む書き込み指示を前記端末ＩＣタグに供給する。前記端末ＩＣタグは、前記制御部から前記書き込み指示を取得すると、前記書き込み指示に含まれる前記端末設定関係情報を記憶し、前記携帯端末とは異なる外部端末との間に第２の通信リンクが確立され、前記第２の通信リンクを利用して前記外部端末から読み取り指示が取得される場合に、記憶している前記端末設定関係情報を前記第２の通信リンクを利用して前記外部端末に供給する。【選択図】図１
2018157507.tif 000002
【特許請求の範囲】
【請求項１】
携帯端末であって、
端末本体と、
前記端末本体に取り付けられており、前記携帯端末の設定に関係する端末設定関係情報を記憶するための端末ＩＣタグと、
前記端末本体内に備えられ、前記端末ＩＣタグと無線通信を実行するための無線通信インターフェースと、
前記端末本体内に備えられる制御部と、を備え、
前記制御部は、前記無線通信インターフェースを介して前記端末ＩＣタグとの間に第１の通信リンクを確立し、確立された前記第１の通信リンクを利用して前記端末設定関係情報を含む書き込み指示を前記端末ＩＣタグに供給し、
前記端末ＩＣタグは、
前記制御部から前記書き込み指示を取得すると、前記書き込み指示に含まれる前記端末設定関係情報を記憶し、
前記携帯端末とは異なる外部端末との間に第２の通信リンクが確立され、前記第２の通信リンクを利用して前記外部端末から読み取り指示が取得される場合に、記憶している前記端末設定関係情報を前記第２の通信リンクを利用して前記外部端末に供給する、
携帯端末。
【請求項２】
前記制御部は、前記携帯端末の前記設定が変更された場合に、変更後の前記設定に関係する前記端末設定関係情報を含む前記書き込み指示を前記端末ＩＣタグに供給する、請求項１に記載の携帯端末。
【請求項３】
前記制御部は、所定のタイミングが到来する毎に、前記書き込み指示を前記端末ＩＣタグに供給する、請求項１又は２に記載の携帯端末。
【請求項４】
前記書き込み指示に含まれる前記端末設定関係情報は、第１の認証情報を利用して保護される保護情報を含み、前記保護情報は、前記第１の認証情報を利用した認証に成功した場合にアクセス可能な情報である、請求項１から３のいずれか一項に記載の携帯端末。
【請求項５】
前記端末ＩＣタグは、前記携帯端末に固有の第２の認証情報を利用して保護されており、前記第２の認証情報を利用した認証に成功した場合に情報を記憶可能である、請求項１から４のいずれか一項に記載の携帯端末。
【請求項６】
前記書き込み指示に含まれる前記端末設定関係情報はユーザによって指定された情報である、請求項１から５のいずれか一項に記載の携帯端末。
【請求項７】
前記無線通信インターフェースは、さらに、前記携帯端末の外部に存在する外部ＩＣタグと無線通信を実行可能であり、
前記制御部は、さらに、前記無線通信インターフェースを介して、前記外部ＩＣタグとの間に第３の通信リンクを確立し、確立された前記第３の通信リンクを利用して、前記外部ＩＣタグから、前記外部ＩＣタグに記憶されている外部情報を取得する、請求項１から６のいずれか一項に記載の携帯端末。
【請求項８】
前記外部ＩＣタグは、前記外部端末に備えられており、前記外部情報は、前記外部端末における設定に関係する外部設定関係情報を含み、
前記制御部は、前記外部情報が取得される場合、前記外部情報に含まれる前記外部設定関係情報を利用して、前記携帯端末の前記設定を変更する、請求項７に記載の携帯端末。
【発明の詳細な説明】
【技術分野】
【０００１】
本明細書で開示する技術は、携帯端末に関する。
【背景技術】
【０００２】
特許文献１には、システム情報が保存された情報格納用メモリと、情報格納用メモリの内容をバーコードに変換するエンコーダと、を備え、情報格納用メモリの内容が変換されたバーコードを表示するようにした表示装置が開示されている。また、特許文献１には、上記の表示装置が表示したバーコードを撮影することによって、当該バーコードに記録されたシステム情報を取得するカメラ付き携帯端末が開示されている。
【先行技術文献】
【特許文献】
【０００３】
【特許文献１】特開２００７‐２７１８０６号公報
【発明の概要】
【発明が解決しようとする課題】
【０００４】
特許文献１の技術では、表示装置が故障した場合に、情報格納用メモリの内容が変換されたバーコードを表示できなくなることがある。そうすると、携帯端末でバーコードを撮影できなくなり、情報格納用メモリに保存されたシステム情報を取得することができなくなる。そのため、表示装置が故障したときにシステム情報を確認することができず、故障の原因を調べることができない等の不都合が生じる。そこで本明細書では、端末本体の状態によらずに携帯端末の設定に関係する情報を取得することができる技術を提供する。
【課題を解決するための手段】
【０００５】
本明細書は、携帯端末を開示する。この携帯端末は、端末本体と、前記端末本体に取り付けられており、前記携帯端末の設定に関係する端末設定関係情報を記憶するための端末ＩＣタグと、前記端末本体内に備えられ、前記端末ＩＣタグと無線通信を実行するための無線通信インターフェースと、前記端末本体内に備えられる制御部と、を備えている。前記制御部は、前記無線通信インターフェースを介して前記端末ＩＣタグとの間に第１の通信リンクを確立し、確立された前記第１の通信リンクを利用して前記端末設定関係情報を含む書き込み指示を前記端末ＩＣタグに供給する。前記端末ＩＣタグは、前記制御部から前記書き込み指示を取得すると、前記書き込み指示に含まれる前記端末設定関係情報を記憶する。また、前記端末ＩＣタグは、前記携帯端末とは異なる外部端末との間に第２の通信リンクが確立され、前記第２の通信リンクを利用して前記外部端末から読み取り指示が取得される場合に、記憶している前記端末設定関係情報を前記第２の通信リンクを利用して前記外部端末に供給する。
【０００６】
このような構成によれば、端末本体に取り付けられた端末ＩＣタグに端末設定関係情報を記憶させておくことができる。また、端末ＩＣタグに記憶させた端末設定関係情報を外部端末によって読み取らせることができる。端末ＩＣタグは、外部から受信される電波を受けて電力を生成し、生成された電力を用いて通信を行うことができるＩＣタグである。そのため、外部端末は、端末本体の状態によらずに携帯端末の設定に関係する情報を読み取ることができる。例えば、端末本体が正常に動作している場合は、携帯端末は、端末本体に備えられる表示部に端末設定関係情報を表示させる処理等を行うことができるが、端末本体が故障した場合は、携帯端末が上記の処理を行うことができない。その場合、従来の携帯端末では、ユーザが携帯端末の端末設定情報を確認することができない事態が生じ得る。しかしながら、上記の構成によれば、端末ＩＣタグに端末設定関係情報を記憶させておき、外部端末によって端末設定関係情報を読み取らせることができる。そのため、端末本体が故障した場合であっても、ユーザが端末設定関係情報を確認することができる。すなわち、端末本体の状態によらずに携帯端末の設定に関係する情報を読み取ることができる。
【０００７】
上記の携帯端末において、前記制御部は、前記携帯端末の前記設定が変更された場合に、変更後の前記設定に関係する前記端末設定関係情報を含む前記書き込み指示を前記端末ＩＣタグに供給してもよい。
【０００８】
このような構成によれば、携帯端末の設定が変更された場合に、自動的に端末設定関係情報を端末ＩＣタグに記憶させておくことができる。そのため、最新の端末設定関係情報を端末ＩＣタグに記憶させておくことができる。
【０００９】
また、前記制御部は、所定のタイミングが到来する毎に、前記書き込み指示を前記端末ＩＣタグに供給してもよい。
【００１０】
このような構成によれば、定期的に最新の端末設定関係情報を端末ＩＣタグに記憶させておくことができる。
【００１１】
また、前記書き込み指示に含まれる前記端末設定関係情報は、第１の認証情報を利用して保護される保護情報を含み、前記保護情報は、前記第１の認証情報を利用した認証に成功した場合にアクセス可能な情報であってもよい。
【００１２】
このような構成によれば、第１の認証情報（例えば第１のパスワード）を利用した認証に成功した場合にのみ保護情報にアクセスでき、成功しない場合には保護情報にアクセスできない。そのため、不特定多数の第三者が保護情報に不当にアクセスできてしまう事態を抑制することができる。例えば、特定の者以外には公開したくない情報を保護情報とし、その保護情報を第１の認証情報によって保護することができる。
【００１３】
前記端末ＩＣタグは、前記携帯端末に固有の第２の認証情報を利用して保護されており、前記第２の認証情報を利用した認証に成功した場合に前記書き込み指示に含まれる前記関係情報を記憶可能であってもよい。
【００１４】
このような構成によれば、端末ＩＣタグが携帯端末に固有の第２の認証情報（例えば、携帯端末に固有のシリアル番号を利用した第２のパスワード）を利用して保護されているので、認証に成功した場合に限り、端末ＩＣタグに情報を書き込むことが許容される。第２の認証情報は、携帯端末に固有の認証情報である。そのため、例えば第２の認証情報を携帯端末にのみ記憶させておけば、携帯端末の制御部による認証が成功する可能性が高くなるが、携帯端末とは異なる外部端末による認証が成功する可能性は低くなる。そのため、携帯端末とは異なる外部端末から端末ＩＣタグに情報を書き込むことが第２の認証情報によって制限され得る。これによって、端末ＩＣタグに記憶されている情報が外部端末から不正に書き換えられることを防ぎ得る。
【００１５】
前記書き込み指示に含まれる前記端末設定関係情報はユーザによって指定された情報であってもよい。
【００１６】
このような構成によれば、携帯端末のユーザが必要であると考える情報のみを、端末設定関係情報として端末ＩＣタグに記憶させておくことができる。そのため、必要な情報のみを外部端末によって読み取らせることができる。
【００１７】
前記無線通信インターフェースは、さらに、前記携帯端末の外部に存在する外部ＩＣタグと無線通信を実行可能であってもよい。前記制御部は、さらに、前記無線通信インターフェースを介して、前記外部ＩＣタグとの間に第３の通信リンクを確立し、確立された前記第３の通信リンクを利用して、前記外部ＩＣタグから、前記外部ＩＣタグに記憶されている外部情報を取得してもよい。
【００１８】
このような構成によれば、携帯端末の制御部が外部ＩＣタグに記憶されている外部情報を取得するので、この外部情報をバックアップとして携帯端末に保存しておくことができる。外部ＩＣタグも、外部（例えば携帯端末）から受信される電波を受けて電力を生成し、生成された電力を用いて通信を行うことができるＩＣタグである。そのため、仮に外部端末が故障したとしても、携帯端末で外部情報を確認することができる。あるいは、携帯端末の設定に関係する端末設定関係情報を、バックアップ用に外部ＩＣタグに予め記憶させておくこともできる。そして、携帯端末の制御部が、バックアップ用の外部情報（即ち端末設定関係情報）を外部ＩＣタグから取得することができる。これによって、携帯端末に保存されている端末設定関係情報が失われたときに、外部ＩＣタグから端末設定関係情報を復元することもできる。
【００１９】
前記外部ＩＣタグは、前記外部端末に備えられており、前記外部情報は、前記外部端末における設定に関係する外部設定関係情報を含んでいてもよい。前記制御部は、前記外部情報が取得される場合、前記外部情報に含まれる前記外部設定関係情報を利用して、前記携帯端末の前記設定を変更してもよい。
【００２０】
このような構成によれば、外部端末の設定を携帯端末の設定として引き継ぐことができる。そのため、例えば、故障した携帯端末を修理した後に、バックアップとして外部端末に保存しておいた設定を、修理後の携帯端末の設定として引き継ぐことができる。
【図面の簡単な説明】
【００２１】
【図１】無線通信システムの概要を示す図。
【図２】携帯端末と外部端末の構成を示すブロック図。
【図３】携帯端末の制御部が実行するバックアップ処理を示すフローチャート。
【図４】携帯端末の制御部が実行する情報取得処理を示すフローチャート。
【図５】無線通信システムの各端末の動作の具体例を示すシーケンス図（１）。
【図６】無線通信システムの各端末の動作の具体例を示すシーケンス図（２）。
【図７】無線通信システムの各端末の動作の具体例を示すシーケンス図（３）。
【発明を実施するための形態】
【００２２】
（第１実施例）
（通信システム２の構成；図１）
図１に示す通信システム１００は、携帯端末１０と、複数の外部端末５０を備えている。携帯端末１０及び複数の外部端末５０は、例えば、携帯型の情報コード読取装置、スマートフォン、携帯電話、ＰＤＡ等、任意の携帯型端末装置である。
【００２３】
（携帯端末１０の構成；図１、図２）
図２に示すように、携帯端末１０は、端末本体１２と、端末本体１２に取り付けられている端末ＩＣタグ３０を備えている。端末本体１２は、操作部１４と、表示部１６と、ＮＦＣ（Near Field Communication）インターフェース１８と、制御部２０と、メモリ２２を備えている。以下では、インターフェースのことを「Ｉ／Ｆ」と記載する。
【００２４】
操作部１４は、複数のボタンを備える。携帯端末１０のユーザは、操作部１４を操作することによって、携帯端末１０に各種の入力を行うことができる。表示部１６は、携帯端末１０に関係する各種の情報を表示するためのディスプレイである。
【００２５】
ＮＦＣＩ／Ｆ１８は、端末ＩＣタグ３０とＮＦＣ方式に従った無線通信（以下「ＮＦＣ通信」と呼ぶ）を実行するための無線通信インターフェースである。ＮＦＣ方式は、例えば、ＩＳＯ／ＩＥＣ２１４８１又は１８０９２の国際標準規格に基づく近距離無線通信方式である。制御部２０は、ＮＦＣＩ／Ｆ１８を介して端末ＩＣタグ３０との間にＮＦＣ通信リンクを確立し、確立されたＮＦＣ通信リンクを利用してＮＦＣ通信を実行することによって、端末ＩＣタグ３０との間で各種情報を通信することができる。同様に、ＮＦＣＩ／Ｆ１８は、後述の外部端末５０の外部ＩＣタグ７０ともＮＦＣ通信を実行可能である。即ち、制御部２０は、ＮＦＣＩ／Ｆ１８を介して外部ＩＣタグ７０との間にＮＦＣ通信リンクを確立し、確立されたＮＦＣ通信リンクを利用してＮＦＣ通信を実行することによって、外部ＩＣタグ７０との間で各種情報を通信することもできる。
【００２６】
制御部２０は、メモリ２２内のプログラムに従って様々な処理を実行する。制御部２０が実行する処理（図３、図４参照）の内容については後述する。
【００２７】
メモリ２２は、上記のプログラムに加えて、各種の情報を記憶する。メモリ２２は、例えば、携帯端末１０の各種設定を表わす情報（例えば、携帯端末１０が接続しているアクセスポイントのＳＳＩＤ（Service Set Identifier）及びパスワード、ＯＳのバージョン情報、携帯端末１０のシリアル番号、携帯端末１０に割り当てられたＩＰアドレス等）を記憶する。また、メモリ２２は、例えば、携帯端末１０による通信記録、携帯端末１０が外部から取得した画像データ等、携帯端末１０の設定とは無関係な各種情報も記憶する。さらに、メモリ２２は、端末ＩＣタグ３０の書き込み制限の解除のための認証に利用される第２のパスワード（後述）を記憶している。
【００２８】
端末ＩＣタグ３０は、外部（例えば、携帯端末１０のＮＦＣＩ／Ｆ１８、外部端末５０のＮＦＣＩ／Ｆ５８等）から受信される電波を利用して電力を作り、その電力を使って動作するＩＣタグである。端末ＩＣタグ３０は、端末設定関係情報を記憶する。端末設定関係情報は、メモリ２２に記憶されている各種情報のうち、携帯端末１０の設定に関係する情報である。端末設定関係情報を、携帯端末１０のシステム情報と言い換えてもよい。端末設定関係情報は、例えば、アクセスポイントのＳＳＩＤ及びパスワード、ＯＳのバージョン情報、携帯端末１０のシリアル番号、携帯端末１０に割り当てられたＩＰアドレス等を含み、携帯端末１０による通信記録、携帯端末１０が外部から取得した画像データ等を含まなくてもよい。端末設定関係情報にどのような種類の情報が含まれるべきであるのかは、ユーザによって予め指定されている。端末設定関係情報は、制御部２０が後述のバックアップ処理（図３参照）を実行することによって、端末ＩＣタグ３０に記憶される。
【００２９】
端末ＩＣタグ３０に記憶される端末設定関係情報は、保護情報を含んでいてもよい。保護情報は、第１のパスワード（第１の認証情報の一例）によって保護される情報である。第１のパスワードは、例えばユーザによって予め決められた文字列である。保護情報には第１のパスワードによる読み取り制限が設定されている。保護情報には、第１のパスワードを利用した認証が成功する場合に限ってアクセス可能である。保護情報へのアクセスを希望する第１種のデバイス（例えば外部端末５０の制御部６０）が保護情報のファイルを開く場合、保護情報は第１のパスワードの入力を要求する。第１種のデバイスによって入力されるパスワードが第１のパスワードと一致する場合、認証が成功する。この場合、第１種のデバイスは、保護情報のファイルを開くことができ、保護情報の内容を認識することができる（即ちアクセスできる）。一方、入力されたパスワードが第１のパスワードと一致しない場合には、第１種のデバイスは保護情報のファイルを開くことができず、保護情報の内容を認識することができない（即ちアクセスできない）。例えば、上記の端末設定関係情報に含まれる各種情報のうち、アクセスポイントのパスワードが保護情報であってもよい。
【００３０】
また、本実施例では、端末ＩＣタグ３０には、第２のパスワード（第２の認証情報の一例）による書き込み制限も設定されている。第２のパスワードは、携帯端末１０に固有の情報を利用して生成されたパスワードであり、携帯端末１０のベンダによって予め定められている。本実施例では、第２のパスワードは、携帯端末１０のシリアル番号を利用して生成されたパスワードである。第２のパスワードは、ベンダによって予め携帯端末１０のメモリ２２にのみ記憶される。即ち、第２のパスワードは携帯端末１０に固有の認証情報であると言える。端末ＩＣタグ３０は、第２のパスワードによって保護されていると言い換えてもよい。即ち、端末ＩＣタグ３０への情報の供給（即ち書き込み）を希望する第２種のデバイス（例えば携帯端末１０の制御部２０、外部端末５０の制御部６０等）は、第２のパスワードを利用した認証に成功する場合に限って、端末ＩＣタグ３０への情報の供給を行うことができる。第２種のデバイスが端末ＩＣタグ３０への情報の供給を希望する場合、端末ＩＣタグ３０は、パスワードの入力を要求する。第２種のデバイスによって入力されるパスワードが第２のパスワードと一致する場合、認証が成功する。この場合、第２種のデバイスは、端末ＩＣタグ３０への情報の供給を行うことができる。一方、入力されたパスワードが第２のパスワードと一致しない場合には、第２種のデバイスは端末ＩＣタグ３０への情報の供給を行うことができない。上記の通り、第２のパスワードは携帯端末１０に固有の情報であり、携帯端末１０のメモリ２２にのみ記憶される。そのため、携帯端末１０以外の端末（例えば外部端末５０）は、第２のパスワードを知ることはできない。即ち、本実施例では、携帯端末１０の制御部２０のみが第２のパスワードを利用した認証を成功させることができ、それ以外のデバイス（例えば外部端末５０の制御部６０）が、第２のパスワードを利用した認証を成功させることはほぼ不可能である。即ち、本実施例では、端末ＩＣタグ３０は、携帯端末１０の制御部２０のみが端末ＩＣタグ３０に情報を書き込むことができるように設定されている。
【００３１】
（外部端末５０の構成；図１、図２）
次に、外部端末５０の構成について説明する。図１に示す複数個の外部端末５０はいずれも同様の構成を有する。外部端末５０の構成は、上記の携帯端末１０の構成と同様である。図２に示すように、外部端末５０は、端末本体５２と、端末本体５２に取り付けられている外部ＩＣタグ７０を備えている。端末本体５２は、操作部５４と、表示部５６と、ＮＦＣＩ／Ｆ５８と、制御部６０と、メモリ６２を備えている。
【００３２】
外部端末５０における端末本体５２、外部ＩＣタグ７０、操作部５４、表示部５６、ＮＦＣＩ／Ｆ５８、制御部６０、メモリ６２は、それぞれ、携帯端末１０における端末本体１２、端末ＩＣタグ３０、操作部１４、表示部１６、ＮＦＣＩ／Ｆ１８、制御部２０、メモリ２２と対応しており、それぞれが同様の構成を備えている。ただし、外部端末５０の外部ＩＣタグ７０には、外部情報が記憶されている。外部情報は、外部端末５０の設定に関係する外部設定関係情報を含んでいる。
【００３３】
（バックアップ処理；図３）
次いで、図３を参照して、携帯端末１０の制御部２０が実行するバックアップ処理の内容を説明する。バックアップ処理は、制御部２０が、端末ＩＣタグ３０に端末設定関係情報を記憶させるための処理である。携帯端末１０の電源がＯＮされると、制御部２０は、図３のバックアップ処理を開始する。
【００３４】
制御部２０は、バックアップ処理を開始すると、Ｓ１１及びＳ２１の監視を開始する。Ｓ１１では、制御部２０は、ユーザによる設定変更が実行されることを監視する。例えば、携帯端末１０のユーザは、操作部１４を操作して携帯端末１０の設定を変更することができる。例えば、ユーザの操作に従って、携帯端末１０のＯＳのバージョンが更新される場合がある。このように、携帯端末１０の設定が変更される場合、制御部２０はＳ１１でＹＥＳと判断し、Ｓ１２に進む。
【００３５】
Ｓ１２では、制御部２０は、変更された設定を示す情報が、バックアップの対象であるか否かを判断する。上記の通り、端末ＩＣタグ３０に記憶されるべき端末設定関係情報に含まれるべき情報の種類は、ユーザによって予め指定されている。制御部２０は、ユーザによって予め指定された情報の種類のリストを参照し、変更された設定を示す情報が、当該リストに含まれるのか否かを判断する。変更された設定を示す情報が、当該リストに含まれる場合、制御部２０はＳ１２でＹＥＳと判断し、Ｓ１３に進む。一方、変更された設定を示す情報が、当該リストに含まれない場合、制御部２０はＳ１２でＮＯと判断し、Ｓ１１、Ｓ２１の監視に戻る。
【００３６】
Ｓ２１では、制御部２０は、所定のタイミングが到来することを監視する。所定のタイミングは、予め設定されたバックアップのタイミングである。例えば、所定のタイミングは、午前０時が到来するタイミングであってもよい。他の例では、所定のタイミングは、前回のバックアップが行われてから２４時間経過時点であってもよい。所定のタイミングは、ユーザが設定することもできる。制御部２０は、所定のタイミングが到来する場合にＳ２１でＹＥＳと判断し、Ｓ１３に進む。
【００３７】
Ｓ１３では、制御部２０は、ＮＦＣＩ／Ｆ１８を介して、端末ＩＣタグ３０との間でＮＦＣ通信リンクを確立する。具体的には、制御部２０は、ＮＦＣＩ／Ｆ１８を起動させ、端末ＩＣタグ３０に向けて電波を出力させる。本実施例の携帯端末１０では、端末ＩＣタグ３０は、ＮＦＣＩ／Ｆ１８から出力された電波を受信可能な距離に配置されている。端末ＩＣタグ３０が電波を受信し、ＮＦＣＩ／Ｆ１８に応答を行うことで、ＮＦＣＩ／Ｆ１８と端末ＩＣタグ３０との間に、ＮＦＣ通信リンクが確立される。Ｓ１３で確立されるＮＦＣ通信リンクが「第１の通信リンク」の一例である。
【００３８】
続くＳ１４では、制御部２０は、Ｓ１３で確立されたＮＦＣ通信リンクを利用して、端末ＩＣタグ３０に書き込みリクエストを供給する。書き込みリクエストは、端末ＩＣタグ３０に対して、情報の供給（即ち書き込み）の許可を求めるための信号である。書き込みリクエストは、メモリ２２に記憶されている第２のパスワードを含む。
【００３９】
続くＳ１５では、制御部２０は、書き込み制限が解除されたか否かを判断する。端末ＩＣタグ３０は、Ｓ１４の書き込みリクエストを取得すると、書き込みリクエストに含まれるパスワードが、第２のパスワードと一致するのか否かの認証を行う。上記の通り、Ｓ１４の書き込みリクエストには第２のパスワードが含まれるため、端末ＩＣタグ３０による認証は成功する。端末ＩＣタグ３０は、認証が成功すると、携帯端末１０に対して、認証が成功したこと（即ち書き込みが許可されたこと）を示すＯＫ信号を供給する。制御部２０は、端末ＩＣタグ３０からＯＫ信号を受信すると、Ｓ１５でＹＥＳと判断し、Ｓ１６に進む。一方、何らかの要因（例えばメモリ２２に記憶されている第２のパスワードが破損していた場合等）によって、端末ＩＣタグ３０における認証が失敗する場合、端末ＩＣタグ３０は、携帯端末１０に対して、認証が失敗したこと（即ち書き込みが許可されないこと）を示すＮＧ信号を供給する。制御部２０は、端末ＩＣタグ３０からＮＧ信号を受信すると、Ｓ１５でＮＯと判断し、図３のバックアップ処理をエラー終了する。この場合、制御部２０は、表示部１６にエラーメッセージを表示させることを含む所定のエラー報知動作を行う。
【００４０】
Ｓ１６では、制御部２０は、書き込み指示を作成する。書き込み指示は、端末ＩＣタグ３０に対して、書き込み指示に含まれる端末設定関係情報を記憶するように指示するための信号である。書き込み指示は、この時点における端末設定関係情報を含む。即ち、Ｓ１６の書き込み指示に含まれる端末設定関係情報は、この時点においてメモリ２２に記憶されている携帯端末１０の設定に関する各情報のうち、ユーザによって予め指定された種類のすべての情報が含まれる。特に、具体的には、ユーザによって設定が変更されたことに由来してＳ１６が行われる場合（Ｓ１１、Ｓ１２でＹＥＳ）、端末設定関係情報には変更後の設定を示す情報が含まれる。端末設定関係情報にはユーザによって予め指定された保護情報が含まれている。よって、Ｓ１６で作成される書き込み指示には保護情報が含まれている。
【００４１】
続くＳ１７では、制御部２０は、確立されたＮＦＣ通信リンクを利用して、端末ＩＣタグ３０に、Ｓ１６で生成された書き込み指示を供給する。端末ＩＣタグ３０は、Ｓ１７の書き込み指示を取得すると、現在記憶している端末設定関係情報に代えて、取得された書き込み指示に含まれる端末設定関係情報を新たに記憶する。これにより、端末ＩＣタグ３０には、この時点の最新の端末設定関係情報が記憶される。
【００４２】
続くＳ１８では、制御部２０は、ＮＦＣ通信リンクを切断する。具体的に言うと、制御部２０は、ＮＦＣＩ／Ｆ１８が電波を出力することを停止させる。この結果、ＮＦＣＩ／Ｆ１８と端末ＩＣタグ３０との間の第１の通信リンクが切断される。Ｓ１８を終えると、制御部２０は、Ｓ１１、Ｓ２１の監視に戻る。
【００４３】
（情報取得処理；図４）
次いで、図４を参照して、携帯端末１０の制御部２０が実行する情報取得処理の内容を説明する。情報取得処理は、制御部２０が、外部ＩＣタグ７０から外部情報を取得するための処理である。携帯端末１０の電源がＯＮされると、制御部２０は、図４の情報取得処理を開始する。
【００４４】
制御部２０は、情報取得処理を開始すると、Ｓ３１の監視を開始する。Ｓ３１では、制御部２０は、ユーザによって所定の読み取り開始指示が入力されたか否かを監視する。携帯端末１０のユーザは、操作部１４を操作して読み取り開始指示を携帯端末１０に入力することができる。読み取り開始指示は、外部ＩＣタグ７０に記憶されている外部情報を読み取る処理（即ち情報取得処理）を開始することを指示するための信号である。ユーザによって読み取り開始指示が入力された場合は、制御部２０はＳ３１でＹＥＳと判断し、Ｓ３２に進む。
【００４５】
Ｓ３２では、制御部２０は、ＮＦＣＩ／Ｆ１８を介して、外部のＩＣタグ（例えば外部端末５０の外部ＩＣタグ７０）との間でＮＦＣ通信リンクが確立されることを監視する。具体的には、制御部２０は、ＮＦＣＩ／Ｆ１８を起動させ、端末ＩＣタグ３０とは異なる方向に向けて電波を出力させる。この際、ＮＦＣＩ／Ｆ１８は端末ＩＣタグ３０に向けて電波を出力しない。そのため、ＮＦＣＩ／Ｆ１８と端末ＩＣタグ３０との間にはＮＦＣ通信リンクは確立されない。ＮＦＣＩ／Ｆ１８が電波を出力している間に、ＮＦＣＩ／Ｆ１８と外部端末５０の外部ＩＣタグ７０とが所定の距離以内に近付くと、ＮＦＣＩ／Ｆ１８が出力する電波を外部ＩＣタグ７０が受信する。外部ＩＣタグ７０が電波を受信してＮＦＣＩ／Ｆ１８に応答を行うことで、ＮＦＣＩ／Ｆ１８と外部ＩＣタグ７０との間にＮＦＣ通信リンクが確立される。制御部２０は、ＮＦＣＩ／Ｆ１８と外部ＩＣタグ７０との間にＮＦＣ通信リンクが確立される場合、Ｓ３２でＹＥＳと判断し、Ｓ３３に進む。Ｓ３２で確立されるＮＦＣ通信リンクが「第３の通信リンク」の一例である。その後、携帯端末１０と外部ＩＣタグ７０が所定の距離以上離れると、ＮＦＣ通信リンクが切断される。
【００４６】
Ｓ３３では、制御部２０は、確立されたＮＦＣ通信リンクを利用して、外部ＩＣタグ７０に読み取り指示を供給する。読み取り指示は、外部ＩＣタグ７０に対して、外部ＩＣタグ７０に記憶されている外部情報を携帯端末１０に供給することを指示するための信号である。外部ＩＣタグ７０は、制御部２０が供給した読み取り指示を取得した場合は、ＮＦＣ通信リンクを利用して、携帯端末１０に外部情報を供給する。外部情報には、外部端末５０の設定に関係する外部設定関係情報が含まれている。また、外部設定関係情報には、ユーザによって予め指定された保護情報が含まれている。保護情報は、第１のパスワードによって保護されている情報である。
【００４７】
続くＳ３４では、制御部２０は、ＮＦＣ通信リンクを利用して、外部ＩＣタグ７０が供給した外部情報を取得する。制御部２０は、外部情報に含まれている外部設定関係情報と、その外部設定関係情報に含まれている保護情報を取得することができる。
【００４８】
続くＳ３５では、制御部２０は、取得した外部情報に含まれている保護情報へのアクセスを試行する。具体的には、携帯端末１０のユーザが、操作部１４を操作することによって、外部情報に含まれる保護情報へのアクセスのためのパスワードを入力する。ユーザによって入力されたパスワードが保護情報へのアクセスのためのパスワードと一致する場合は、認証が成功する。制御部２０は、パスワードを利用した認証に成功した場合は、外部情報に含まれる保護情報にアクセスすることができる。認証に失敗した場合は、制御部２０は、保護情報にアクセスすることができない。なお、外部設定情報に保護情報が含まれていない場合は、制御部２０は、Ｓ３５をスキップする。
【００４９】
続くＳ３６では、制御部２０は、取得した外部情報に含まれている外部設定関係情報を表示部１６に表示する。表示部１６には、例えば外部端末５０のアクセスポイントのＳＳＩＤ、ＯＳのバージョン情報等の外部設定関係情報が表示される。また、制御部２０は、上記のＳ３５でパスワードを利用した保護情報へのアクセスに成功した場合は、Ｓ３６で外部設定関係情報に含まれている保護情報も表示部１６に表示する。例えば、アクセスポイントのパスワードが保護情報に指定されていた場合は、保護情報へのアクセスが成功することによって、アクセスポイントのパスワードが表示部１６に表示される。
【００５０】
続くＳ３７では、制御部２０は、ユーザによって反映指示が入力されたか否かを判断する。例えば、携帯端末１０のユーザは、外部設定関係情報が表示部１６に表示されている間に、操作部１４を操作して、反映指示を携帯端末１０に入力することができる。反映指示は、表示部１６に表示中の外部設定関係情報によって特定される設定を携帯端末１０の設定に反映させることを指示するための信号である。ユーザによって反映指示が入力された場合は、制御部２０はＳ３７でＹＥＳと判断し、Ｓ３８に進む。一方、反映指示が入力されない場合は、制御部２０はＳ３７でＮＯと判断し、Ｓ３１に戻る。例えばユーザは、外部設定関係情報によって特定される設定（外部端末５０のアクセスポイントのＳＳＩＤ、ＯＳのバージョン情報等）を携帯端末１０の設定に反映させたくない場合は、反映指示を入力しない。
【００５１】
Ｓ３８では、制御部２０は、外部設定関係情報をメモリ２２に記憶させる。メモリ２２に記憶されている携帯端末１０の設定が、外部設定関係情報に基づいて変更される。つまり、制御部２０は、外部設定関係情報によって特定される外部端末５０の設定を、携帯端末１０の設定に反映させる。例えば、制御部２０は、携帯端末１０のアクセスポイントのＳＳＩＤ、ＯＳのバージョン情報等を、外部端末５０のアクセスポイントのＳＳＩＤ、ＯＳのバージョン情報等に変更する。制御部２０は、外部設定関係情報を利用して携帯端末１０の設定を変更する。これにより、外部端末５０の設定が携帯端末１０に引き継がれる。Ｓ３８を終えると、制御部２０は、Ｓ３１に戻る。
【００５２】
（動作の具体例；図５〜図７）
続いて、図５〜図７を参照して、図３、図４のフローチャートによって実現される具体的なケースＡ〜Ｃを説明する。ケースＡ〜Ｃは、いずれも携帯端末１０と外部端末５０との間で実行される動作の例である。
【００５３】
（ケースＡ；図５）
ケースＡは、携帯端末１０が端末ＩＣタグ３０に端末設定関係情報を書き込んだ後で、外部端末５０が端末ＩＣタグ３０に対して書き込みを試行するケースである。
【００５４】
ケースＡでは、まず、携帯端末１０のユーザが、操作部１４を操作して携帯端末１０の設定を変更する（図３のＳ１１でＹＥＳ）。制御部２０は、変更された設定を示す情報がバックアップの対象であると判断し（Ｓ１２でＹＥＳ）、ＮＦＣＩ／Ｆ１８を介して、端末ＩＣタグ３０との間でＮＦＣ通信リンクを確立する（Ｓ１３）。次いで、制御部２０は、ＮＦＣ通信リンクを利用して、端末ＩＣタグ３０に書き込みリクエストを供給する（Ｓ１４）。書き込みリクエストは第２のパスワードを含む。
【００５５】
端末ＩＣタグ３０は、書き込みリクエストに含まれるパスワードが、第２のパスワードと一致するのか否かの認証を行う。このケースでは認証に成功する。端末ＩＣタグ３０は、携帯端末１０にＯＫ信号を供給する。
【００５６】
制御部２０は、ＯＫ信号を取得すると（Ｓ１５でＹＥＳ）、端末設定関係情報を含む書き込み指示を作成し（Ｓ１６）、作成された書き込み指示を、ＮＦＣ通信リンクを利用して端末ＩＣタグ３０に供給する（Ｓ１７）。
【００５７】
端末ＩＣタグ３０は、書き込み指示を取得すると、書き込み指示に含まれる端末設定関係情報を記憶する。
【００５８】
その後、制御部２０は、端末ＩＣタグ３０とのＮＦＣ通信リンクを切断する（Ｓ１８）。
【００５９】
その後、外部端末５０のユーザは、所定の書き込み開始指示が入力され、ＮＦＣＩ／Ｆ５８が電波を出力している状態の外部端末５０を、携帯端末１０の端末ＩＣタグ３０に近づける。端末ＩＣタグ３０と、外部端末５０のＮＦＣＩ／Ｆ５８との間の距離が所定の閾値より短くなると、ＮＦＣＩ／Ｆ５８と端末ＩＣタグ３０との間にＮＦＣ通信リンクが確立される。
【００６０】
外部端末５０の制御部６０は、確立されたＮＦＣ通信リンクを利用して、端末ＩＣタグ３０に書き込みリクエストを供給する。書き込みリクエストは所定のパスワードを含む。パスワードはメモリ６２に記憶されている。このケースでは、メモリ６２に記憶されているパスワードは第２のパスワードとは異なる。
【００６１】
端末ＩＣタグ３０は、書き込みリクエストに含まれるパスワードが、第２のパスワードと一致するのか否かの認証を行う。このケースでは認証に失敗する。端末ＩＣタグ３０は、携帯端末１０にＮＧ信号を供給する。
【００６２】
制御部６０は、ＮＧ信号を取得した場合は、端末ＩＣタグ３０に情報を書き込むことができない。制御部６０は、ＮＧ信号を取得すると、端末ＩＣタグ３０とのＮＦＣ通信リンクを切断する。
【００６３】
（ケースＢ；図６）
ケースＢは、外部端末５０が端末ＩＣタグ３０に記憶されている端末設定関係情報を読み取るケースである。
【００６４】
ケースＢでは、まず、外部端末５０のユーザが、操作部５４を操作して読み取り開始指示を入力する。そして、ユーザが、ＮＦＣＩ／Ｆ５８が電波を出力している状態の外部端末５０を、携帯端末１０の端末ＩＣタグ３０に近付ける。端末ＩＣタグ３０と、外部端末５０のＮＦＣＩ／Ｆ５８との間の距離が所定の閾値より短くなると、ＮＦＣＩ／Ｆ５８と端末ＩＣタグ３０との間にＮＦＣ通信リンクが確立される。
【００６５】
外部端末５０の制御部６０は、確立されたＮＦＣ通信リンクを利用して、端末ＩＣタグ３０に読み取り指示を供給する。
【００６６】
端末ＩＣタグ３０は、読み取り指示を取得すると、ＮＦＣ通信リンクを利用して、記憶している端末設定関係情報を外部端末５０に供給する。この端末設定関係情報には、第１のパスワードによって保護されている保護情報が含まれている。
【００６７】
外部端末５０の制御部６０は、端末設定関係情報を取得すると、その端末設定関係情報をメモリ６２に記憶する。
【００６８】
その後、外部端末５０のユーザが、操作部５４を操作してパスワードを入力する。外部端末５０の制御部６０は、入力されたパスワードが、第１のパスワードと一致するか否かの認証を行う。制御部６０は、第１のパスワードを利用した認証に成功した場合は、端末設定関係情報に含まれる保護情報にアクセスすることができる。一方、制御部６０は、第１のパスワードを利用した認証に失敗した場合は、保護情報にアクセスすることができない。保護情報以外の端末設定関係情報については、制御部６０は、認証を要さずにアクセスすることができる。制御部６０は、取得した端末設定関係情報を表示部５６に表示する。
【００６９】
その後、制御部６０は、端末ＩＣタグ３０とのＮＦＣ通信リンクを切断する。
【００７０】
（ケースＣ；図７）
ケースＣは、携帯端末１０が外部ＩＣタグ７０に記憶されている外部情報を読み取るケースである。
【００７１】
ケースＣでは、まず、携帯端末１０のユーザが、操作部１４を操作して読み取り開始指示を入力する（図４のＳ３１でＹＥＳ）。そして、ユーザが、ＮＦＣＩ／Ｆ１８が電波を出力している状態の携帯端末１０を、外部端末５０の外部ＩＣタグ７０に近付ける。外部ＩＣタグ７０と、携帯端末１０のＮＦＣＩ／Ｆ１８との間の距離が所定の閾値より短くなると、ＮＦＣＩ／Ｆ１８と外部ＩＣタグ７０との間にＮＦＣ通信リンクが確立される（Ｓ３２でＹＥＳ）。
【００７２】
携帯端末１０の制御部２０は、確立されたＮＦＣ通信リンクを利用して、外部ＩＣタグ７０に読み取り指示を供給する（Ｓ３３）。
【００７３】
外部ＩＣタグ７０は、読み取り指示を取得すると、ＮＦＣ通信リンクを利用して、記憶している外部情報を携帯端末１０に供給する。この外部情報には、外部設定関係情報が含まれている。また、外部設定関係情報には、第３のパスワードによって保護されている保護情報が含まれている。
【００７４】
携帯端末１０の制御部２０は、外部情報を取得すると（Ｓ３４）、その外部情報をメモリ２２に記憶する。
【００７５】
その後、携帯端末１０のユーザが、操作部１４を操作してパスワードを入力する。携帯端末１０の制御部２０は、入力されたパスワードが第３のパスワードと一致するか否かの認証を行う。制御部２０は、第３のパスワードを利用して、外部情報の含まれる保護情報へのアクセスを試行する（Ｓ３５）。制御部２０は、第３のパスワードを利用した認証に成功した場合は、外部情報に含まれる保護情報にアクセスすることができる。一方、制御部２０は、第３のパスワードを利用した認証に失敗した場合は、保護情報にアクセスすることができない。保護情報以外の外部設定関係情報については、制御部２０は、認証を要さずにアクセスすることができる。制御部２０は、取得した外部情報に含まれる外部設定関係情報を表示部１６に表示する（Ｓ３６）。
【００７６】
その後、携帯端末１０のユーザが、操作部１４を操作して反映指示を入力する（Ｓ３７でＹＥＳ）。反映指示が入力されると、携帯端末１０の制御部２０は、外部設定関係情報によって特定される設定を、携帯端末１０の設定に反映する（Ｓ３８）。
【００７７】
その後、制御部２０は、外部ＩＣタグ７０とのＮＦＣ通信リンクを切断する。
【００７８】
以上、携帯端末１０の構成と動作について説明した。上記の説明から明らかなように、携帯端末１０の制御部２０は、ＮＦＣ通信リンクを利用して、端末設定関係情報を含む書き込み指示を端末ＩＣタグ３０に供給する（図３のＳ１７）。端末ＩＣタグ３０は、制御部２０から書き込み指示を取得すると、書き込み指示に含まれる端末設定関係情報を記憶する。また、端末ＩＣタグ３０は、記憶している端末設定関係情報を第２の通信リンクを利用して外部端末５０に供給する。
【００７９】
そのため、携帯端末１０の端末本体１２に取り付けられた端末ＩＣタグ３０に端末設定関係情報を記憶しておくことができる。また、端末ＩＣタグ３０に記憶した端末設定関係情報を外部端末５０によって読み取ることができる。端末ＩＣタグ３０は、外部から受信される電波を受けて電力を生成し、生成された電力を用いて通信を行うことができるＩＣタグである。そのため、端末本体１２が故障したとしても、端末設定関係情報を取得することができる。例えば、上記の携帯端末１０では、端末本体１２が故障せずに正常に動作している場合は、表示部１６に端末設定関係情報を表示させることができる（例えば端末設定情報が記録された情報コードを表示させてもよい）が、端末本体１２が故障して正常に動作しない場合は、表示部１６に端末設定関係情報等を表示させることができない。そこで、本実施例では、端末ＩＣタグ３０に端末設定関係情報を記憶させておき、外部端末５０によって端末設定関係情報を読み取らせることができる。これによって、端末本体１２が故障した場合であっても、ユーザが端末設定関係情報を確認することができる。すなわち、端末本体１２の状態によらずに携帯端末１０の設定に関係する情報を読み取ることができる。
【００８０】
また、携帯端末１０の端末本体１２が故障した場合は、故障したままの状態で端末本体１２を起動すると、無理な起動によってメモリ６２に記憶されている情報が失われる可能性がある。しかしながら、上記の構成によれば、携帯端末１０の端末本体１２を起動しなくても端末設定関係情報を端末ＩＣタグ３０から取得することができる。そのため、メモリ６２に記憶されている情報を失わずに、端末設定関係情報を安全に取得することができる。また、端末本体１２が故障した場合は、携帯端末１０のシステムの情報を取得して故障の原因を解析することが有効である。よって、端末設定関係情報を安全に取得することができる上記の構成が特に有効である。
【００８１】
また、上記の携帯端末１０では、制御部２０が、携帯端末１０の設定が変更された場合に（図３のＳ１１、Ｓ１２でＹＥＳ）、変更後の設定に関係する端末設定関係情報を含む書き込み指示を端末ＩＣタグ３０に供給する（Ｓ１７）。このような構成によれば、携帯端末１０の設定が変更された場合に、変更後の端末設定関係情報を端末ＩＣタグ３０に自動的に記憶させておくことができる。これによって、最新の端末設定関係情報を端末ＩＣタグ３０に記憶させておくことができる。
【００８２】
また、上記の携帯端末１０では、制御部２０が、所定の期間が経過する毎に、書き込み指示を端末ＩＣタグ３０に自動的に供給する（図３のＳ２１でＹＥＳ、Ｓ１７）。そのため、定期的に端末設定関係情報を端末ＩＣタグ３０に記憶させておくことができる。仮に携帯端末１０のユーザが端末設定関係情報を更新し忘れたとしても、自動的に端末設定関係情報をバックアップすることができる。
【００８３】
また、上記の携帯端末１０では、書き込み指示に含まれる端末設定関係情報が、第１のパスワードを利用して保護される保護情報を含んでいる。この保護情報は、第１のパスワードを利用した認証に成功した場合にアクセス可能な情報である。そのため、第１のパスワードを利用した認証に成功した場合にのみ保護情報にアクセスすることができ、認証に成功しない場合には保護情報にアクセスすることができない。そのため、不特定多数の第三者が保護情報に不当にアクセスできてしまう事態を抑制できる。また、ユーザにとって重要度が低い情報と、ユーザにとって重要度が高い保護情報とを区分してバックアップしておくことができる。
【００８４】
また、上記の携帯端末１０では、制御部２０が、外部ＩＣタグ７０との間に確立されるＮＦＣ通信リンクを利用して、外部ＩＣタグ７０から外部情報を取得する（図４のＳ３４）。外部ＩＣタグ７０も、外部（例えば携帯端末１０）から受信される電波を受けて電力を生成し、生成された電力を用いて通信を行うことができるＩＣタグである。そのため、携帯端末１０の制御部２０が外部情報を取得して、その外部情報をバックアップとして携帯端末１０に保存しておくことができる。そのため、仮に外部ＩＣタグ７０が故障したとしても、携帯端末１０で外部情報を確認することができる。あるいは、携帯端末１０の設定に関係する端末設定関係情報を、バックアップ用に外部ＩＣタグ７０に予め外部情報として記憶させておくこともできる。そして、携帯端末１０の制御部２０が、バックアップ用の外部情報（即ち端末設定関係情報）を外部ＩＣタグ７０から取得することができる。これによって、携帯端末１０に保存されている端末設定関係情報が失われたときに、外部ＩＣタグ７０から端末設定関係情報を復元することができる。
【００８５】
また、外部ＩＣタグ７０に記憶されている外部情報は、外部端末５０における設定に関係する外部設定関係情報を含んでいる。携帯端末１０の制御部２０は、外部情報を取得した場合に、外部情報に含まれる外部設定関係情報を利用して携帯端末１０の設定を変更する。このような構成によれば、外部端末５０の設定を携帯端末１０の設定として引き継ぐことができる。そのため、例えば、故障した携帯端末１０を修理した後に、バックアップとして外部端末５０の外部ＩＣタグ７０に保存しておいた設定を、修理後の携帯端末１０の設定として引き継ぐことができる。
【００８６】
また、上記の実施例では、端末ＩＣタグ３０には、第２のパスワード（第２の認証情報の一例）による書き込み制限が設定されている。そのため、外部端末５０の制御部６０は、第２のパスワードによる認証に成功しない限り、端末ＩＣタグ３０に情報を書き込むことができない。そして、上記の実施例では、第２のパスワードは、携帯端末１０に固有の情報を利用して生成されたパスワードであり、携帯端末１０のメモリ２２にのみ記憶されている。そのため、携帯端末１０の制御部２０は、メモリ２２に記憶された第２のパスワードを用いた認証に成功する。その結果、制御部２０は、端末ＩＣタグ３０の書き込み制限を解除し（図３のＳ１５）、端末ＩＣタグ３０に情報を書き込むことができる（Ｓ１７）。その一方、第２のパスワードを記憶していない外部の端末（例えば外部端末５０）は、認証に成功できない。即ち、外部の端末が端末ＩＣタグ３０に情報を書き込むことが制限される。そのため、端末ＩＣタグ３０に記憶されている情報が外部端末５０から不正に書き換えられることを防ぐことができる。
【００８７】
また、上記の実施例では、端末ＩＣタグ３０にバックアップするための端末設定関係情報にどのような種類の情報が含まれるべきであるのかは、ユーザによって予め指定されている。そのため、携帯端末１０のユーザが必要であると考える情報を、端末設定関係情報として端末ＩＣタグ３０に記憶しておくことができる。そのため、必要な情報のみを外部端末５０に読み取らせることができる。
【００８８】
以上、一実施例について説明したが、具体的な態様は上記実施例に限定されるものではない。以下の説明において、上述の説明における構成と同様の構成については、同一の符号を付して説明を省略する。
【００８９】
上記の実施例では、携帯端末１０の設定が変更されると、ユーザがバックアップの指示をしなくても、制御部２０が自動的に変更後の端末設定関係情報を端末ＩＣタグ３０に供給する構成を採用する（図３のＳ１１、Ｓ１２でＹＥＳ）。しかしながら、他の実施例では、ユーザが所定のバックアップ指示入力した場合に限り、制御部２０が端末設定関係情報を端末ＩＣタグ３０に供給させてもよい。
【００９０】
また、端末ＩＣタグ３０にバックアップする端末設定関係情報は、携帯端末１０の設定の一部に関係する情報であっても、設定の全部に関係する情報であってもよい。
【００９１】
上記の実施例では、端末ＩＣタグ３０には、第２のパスワード（第２の認証情報の一例）による書き込み制限が設定されている。これに限られず、端末ＩＣタグ３０には書き込み制限が設定されていなくてもよい。
【００９２】
上記の実施例では、ユーザによって設定が変更されたことに由来して制御部２０が端末設定関係情報を生成する場合には（図３のＳ１１、Ｓ１２でＹＥＳ、Ｓ１６）、この時点においてメモリ２２に記憶されている携帯端末１０の設定に関する各情報のうち、ユーザによって予め指定された種類のすべての情報が含まれる。これに限られず、ユーザによって設定が変更されたことに由来して制御部２０が端末設定関係情報を生成する場合には、端末設定関係情報は、変更された設定を表わす情報のみを含んでもよい。その場合、端末ＩＣタグ３０は、制御部２０から端末設定関係情報を取得すると、既に記憶している端末設定関係情報のうち、新たに取得された端末設定関係情報に含まれる変更後の設定を表わす情報のみを新たに記憶（即ち更新）するようにしてもよい。
【００９３】
また、上記の実施例では、携帯端末１０と外部端末５０が同じ構成であったが、これに限定されるものではなく、両者の構成が異なっていてもよい。例えば、外部端末５０は、外部ＩＣタグ７０を備えていなくてもよい。外部端末５０は、携帯端末１０の端末設定関係情報を読み取ることができればよい。この変形例では、携帯端末１０が読取可能な外部ＩＣタグも、外部端末５０に搭載されるものでなくてもよい。
【００９４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００９５】
１０    ：携帯端末
１２    ：端末本体
１４    ：操作部
１６    ：表示部
１８    ：インターフェース
２０    ：制御部
２２    ：メモリ
３０    ：端末ＩＣタグ
５０    ：外部端末
５２    ：端末本体
５４    ：操作部
５６    ：表示部
５８    ：インターフェース
６０    ：制御部
６２    ：メモリ
７０    ：外部ＩＣタグ
１００  ：通信システム
【図１】
2018157507.tif 000003
【図２】
2018157507.tif 000004
【図３】
2018157507.tif 000005
【図４】
2018157507.tif 000006
【図５】
2018157507.tif 000007
【図６】
2018157507.tif 000008
【図７】
2018157507.tif 000009